(57)【特許請求の範囲】
【請求項１】
本体ケース（２１）と、本体ケース（２１）に回転可能に設けられるブラシ体（２０）と、ブラシ体（２０）を回転駆動するブラシ回転駆動構造とを備えており、
ブラシ体（２０）が、ブラシベース（６０）と、ブラシベース（６０）に支持されるブラシ束（６１）とを含み、
ブラシ束（６１）の先端面の中央部に凹部（７８）が形成してあり、
凹部（７８）は、底壁（７８ａ）と、底壁（７８ａ）を全周囲において囲む側壁（７８ｂ）とを含む平面視が円形のドーム状に形成されており、
ブラシベース（６０）から突出するブラシ束（６１）の突出基端（６１ａ）から底壁（７８ａ）までの寸法（Ｈ２）よりも凹部（７８）の開口部（７８ｃ）から底壁（７８ａ）までの寸法（Ｈ１）を小さく設定しており、
ブラシ束（６１）が、棒状のブラシ軸部（７６）と、ブラシ軸部（７６）の先端に形成される外突湾曲状のブラシ先端部（７７）と、ブラシ先端部（７７）の中央部に凹み形成された凹部（７８）とを備えており、
凹部（７８）の底壁（７８ａ）が、外突湾曲状のブラシ先端部（７７）と棒状のブラシ軸部（７６）との境界線（７７ａ）と、凹部（７８）の開口部（７８ｃ）との間に位置しており、
凹部（７８）の湾曲面の曲率をブラシ先端部（７７）の湾曲面の曲率よりも大きく設定していることを特徴とする美容器具。
【請求項２】
ブラシベース（６０）の横幅を（Ｄ）とし、ブラシ束（６１）のブラシベース（６０）からの突出寸法を（Ｈ）とするとき、
ブラシベース（６０）の横幅（Ｄ）とブラシ束（６１）の突出寸法（Ｈ）とが、不等式（Ｄ／２＜Ｈ）を満足するように設定してあることを特徴とする請求項１に記載の美容器具。
【請求項３】
ブラシベース（６０）の横幅を（Ｄ）とし、ブラシ束（６１）のブラシベース（６０）からの突出寸法を（Ｈ）とするとき、
ブラシベース（６０）の横幅（Ｄ）と、ブラシ束（６１）の突出寸法（Ｈ）とが、不等式（Ｄ＜Ｈ）を満足するように設定してあることを特徴とする請求項１または２に記載の美容器具。
【請求項４】
ブラシ軸部（７６）が、ブラシベース（６０）の側からブラシ先端部（７７）へ向かって上広がり状に形成されており、
ブラシベース（６０）の横幅を（Ｄ）とし、ブラシ軸部（７６）の上端における横幅を（Ｄ１）とするとき、
ブラシベース（６０）の横幅（Ｄ）と、ブラシ軸部（７６）の横幅（Ｄ１）とが、不等式（Ｄ＜Ｄ１）を満足するように設定してあることを特徴とする請求項１から３のいずれかひとつに記載の美容器具。
【発明の詳細な説明】
【技術分野】
【０００１】
本発明は、ブラシ体を回転させることで洗浄やマッサージを行うことができるブラシ付きの美容器具に関する。
【背景技術】
【０００２】
この種の美容器具は実開平１−７１５２１のマイクロフィルムに公知である。そこでは、本体と、ブラシを有するブラシ板と、ブラシ板に連結されたモーターと、泡発生器などでブラシ装置を構成している。ブラシ板の駆動軸とモーターの出力軸とは、同軸上に配置した状態で連結されており、モーターを駆動することによりブラシ板を回転駆動することができる。ブラシ装置の使用時には、泡発生器を作動させ、モーターでブラシ板を回転させた状態で、ブラシを使用者の体に当てることにより、ブラシ板に設けた穴を介してブラシに泡を供給しながら体を洗浄することができる。
【先行技術文献】
【特許文献】
【０００３】
【特許文献１】実開平１−７１５２１号のマイクロフィルム
【発明の概要】
【発明が解決しようとする課題】
【０００４】
特許文献１のブラシ装置によれば、回転するブラシの中央部が回転駆動時にねじれ剛性が増す可能性がある。剛性が増せば肌にブラシ先端をあてがって回転洗浄または回転マッサージを行う際、肌が過剰に押されて肌にダメージを与えてしまう虞れがある。
【０００５】
本発明の目的は、肌の洗浄或いはマッサージを行う際の肌へのダメージを抑制することができる美容器具を提供することにある。
【課題を解決するための手段】
【０００６】
本発明に係る美容器具は、本体ケース２１と、本体ケース２１に回転可能に設けられるブラシ体２０と、ブラシ体２０を回転駆動するブラシ回転駆動構造とを備えている。ブラシ体２０が、ブラシベース６０と、ブラシベース６０に支持されるブラシ束６１とを含む。ブラシ束６１の中央部に凹部７８が形成してあることを特徴とする。
【０００７】
凹部７８は、底壁７８ａと、底壁７８ａを全周囲において囲む側壁７８ｂとを含み、かつ、凹部７８が、ブラシ束６１の先端面で形成されていることを特徴とする。
【０００８】
凹部７８の側壁７８ｂが、内凹み状の湾曲面で構成されていることを特徴とする。
【０００９】
凹部７８の径寸法が、底壁７８ａから開口部７８ｃに向かって広くなるよう構成されていることを特徴とする。
【００１０】
凹部７８が、平面視が円形のドーム状に形成されていることを特徴とする。
【００１１】
凹部７８が、図柄を表わすよう構成したことを特徴とする。
【００１２】
ブラシベース６０から突出するブラシ束６１の突出基端６１ａから底壁７８ａまでの寸法Ｈ２よりも凹部７８の開口部７８ｃから底壁７８ａまでの寸法Ｈ１を小さく設定していることを特徴とする。
【００１３】
ブラシ束６１が、棒状のブラシ軸部７６と、ブラシ軸部７６の先端に形成される外突湾曲状のブラシ先端部７７と、ブラシ先端部７７の中央部に凹み形成された凹部７８とを備えていることを特徴とする。
【００１４】
凹部７８の底壁７８ａが、外突湾曲状のブラシ先端部７７と棒状のブラシ軸部７６との境界線７７ａと、凹部７８の開口部７８ｃとの間に位置していることを特徴とする。
【００１５】
ブラシベース６０の横幅をＤとし、ブラシ束６１のブラシベース６０からの突出寸法をＨとするとき、ブラシベース６０の横幅Ｄとブラシ束６１の突出寸法Ｈとを、不等式（Ｄ／２＜Ｈ）を満足するように設定してあることを特徴とする。
【００１６】
ブラシベース６０の横幅をＤとし、ブラシ束６１のブラシベース６０からの突出寸法をＨとするとき、ブラシベース６０の横幅Ｄと、ブラシ束６１の突出寸法Ｈとを、不等式（Ｄ＜Ｈ）を満足するように設定してあることを特徴とする。
【００１７】
ブラシ軸部７６は、ブラシベース６０の側からブラシ先端部７７へ向かって上広がり状に形成する。ブラシベース６０の横幅をＤとし、ブラシ軸部７６の上端における横幅をＤ１とするとき、ブラシベース６０の横幅Ｄと、ブラシ軸部７６の横幅Ｄ１とを、不等式（Ｄ＜Ｄ１）を満足するように設定してあることを特徴とする。
【発明の効果】
【００１８】
ブラシ束６１の先端面の中央部に凹部７８が設けられていると、ブラシ体２０を回転駆動してブラシ束６１の先端面による肌の洗浄或いはマッサージを行うとき、ブラシ束６１の中央部に位置する毛束が棒状となるのを防止することができるので、肌へのダメージを抑制することができる。
【００１９】
凹部７８は、底壁７８ａと、底壁７８ａを全周囲において囲む側壁７８ｂとを含み、かつ、凹部７８が、ブラシ束６１の先端面で形成されていると、凹部７８で泡塊を保持することができ、そこから泡を繰り出すことができるので、ブラシ束６１の先端面における摺動摩擦を軽減できる。したがって肌へのダメージを抑制することができる。また、凹部７８の下方にもブラシ束６１が存在するため、そのブラシ束６１部分でも泡を含ませることができるので、ブラシ束６１に多くの泡を含ませることができる。
【００２０】
凹部７８の側壁７８ｂが、内凹み状の湾曲面で構成されていると、ブラシ束６１の先端面を肌に強めに押し当てても凹部７８内のブラシ束６１の先端面が肌に当たり難い。したがって、ブラシ束６１がよじれて棒状となるのを防止できる。
【００２１】
凹部７８の径寸法が、底壁７８ａから開口部７８ｃに向かって広くなるよう構成されていると、遠心力により凹部７８内にある泡塊を迫り上げて肌面に供給することができる。したがってブラシ束６１の先端面における摺動摩擦を軽減することができ肌へのダメージを抑制することができる。
【００２２】
凹部７８が、平面視が円形のドーム状に形成されていると、遠心力により凹部７８内にある泡塊をよりスムーズに迫り上げて肌面に供給することができる。したがってブラシ束６１の先端面における摺動摩擦を軽減することができ肌へのダメージを抑制することができる。
【００２３】
凹部７８が、図柄を表わすよう構成すると、装飾性に富んだ美容機器とすることができる。
【００２４】
ブラシベース６０から突出するブラシ束６１の突出基端６１ａから底壁７８ａまでの寸法Ｈ２よりも凹部７８の開口部７８ｃから底壁７８ａまでの寸法Ｈ１を小さく設定すると、凹部７８内の泡が肌面に供給されやすくなる。
【００２５】
ブラシ束６１が、棒状のブラシ軸部７６と、ブラシ軸部７６の先端に形成される外突湾曲状のブラシ先端部７７と、ブラシ先端部７７の中央部に凹み形成された凹部７８とを備えていると、外突湾曲状のブラシ先端部７７を肌面にフィットさせることができ、肌面の洗浄或いはマッサージを適切に行うことができる。一方、ブラシ軸部７６には泡を含ませることができ、肌面にその泡を供給することができる。
【００２６】
凹部７８の底壁７８ａが、外突湾曲状のブラシ先端部７７と棒状のブラシ軸部７６との境界線７７ａと、凹部７８の開口部７８ｃとの間に位置していると、凹部７８内の泡が肌面に供給されやすくなる。
【００２７】
ブラシベース６０の横幅をＤとし、ブラシ束６１のブラシベース６０からの突出寸法をＨとするとき、ブラシベース６０の横幅Ｄとブラシ束６１の突出寸法Ｈとを、不等式（Ｄ／２＜Ｈ）を満足するように設定してあると、肌面をブラシ束６１で洗浄するときのブラシ軸部７６の腰の強さを弱くできるので、ブラシ先端部７７或いはブラシ軸部７６の顔肌に対する接触感をソフトで滑らかにすることができる。さらに、上下に長いブラシ束６１により多くの泡を含ませて、ブラシ先端部７７もしくはブラシ軸部７６と肌面の接触を滑らかなものとして、洗浄時に肌面がダメージを受けるのを防止できる。
【００２８】
ブラシベース６０の横幅をＤとし、ブラシ束６１のブラシベース６０からの突出寸法をＨとするとき、ブラシベース６０の横幅Ｄと、ブラシ束６１の突出寸法Ｈとを、不等式（Ｄ＜Ｈ）を満足するように設定してあると、ブラシ束６１のブラシベース６０からの突出寸法Ｈをさらに大きくすることができる。これにより、ブラシ先端部７７或いはブラシ軸部７６の肌面に対する接触感をさらにソフトで滑らかなものとすることができ、上下に長いブラシ束６１にさらに多くの泡を含ませて、ブラシ先端部７７もしくはブラシ軸部７６と肌面の接触を滑らかなものとすることができる。
【００２９】
ブラシベース６０の横幅をＤとし、ブラシ軸部７６の上端における横幅をＤ１とするとき、ブラシベース６０の横幅Ｄと、ブラシ軸部７６の横幅Ｄ１とを、不等式（Ｄ＜Ｄ１）を満足するように設定してあると、ブラシ軸部７６を逆円錐台状に形成して、ブラシ軸部７６とブラシ先端部７７との境界付近の直径を大きくすることができる。従って、洗浄時における前記境界付近の周速度を大きくして、洗浄効果を向上できる。
【図面の簡単な説明】
【００３０】
【図１】本発明の実施例１に係る泡立器の泡立動作を示す縦断側面図である。
【図２】泡立容器と撹拌体（美容器具）を分離した状態で示す側面図である。
【図３】泡立容器の平面図である。
【図４】ブラシ体および下ケースを本体ケースから分離した状態の側面図である。
【図５】撹拌体（美容器具）の側面図である。
【図６】撹拌体（美容器具）の内部構造を示す縦断側面図である。
【図７】ブラシ体の縦断正面図である。
【図８】図７におけるＡ−Ａ線断面図である。
【図９】ブラシ束を調整リングで縮径操作した状態のブラシ体の断面図である。
【図１０】撹拌体（美容器具）を泡立容器に装着した状態の側面図である。
【図１１】駆動ピースと継手体を示す分解斜視図である。
【図１２】モーターと振動モーターの動作状態を示すタイミングチャートである。
【図１３】ブラシ体をブラシ支持具に装着した状態の側面図である。
【図１４】泡生成部とブラシ体の関係構造を示す泡立容器の縦断側面図である。
【図１５】泡生成部とブラシ体の関係構造を示す泡立容器の縦断背面図である。
【図１６】撹拌体（美容器具）の平面図である。
【図１７】図１６におけるＢ−Ｂ線断面図である。
【図１８】実施例２に係るブラシ体のブラシ束における一部破断縦断側面図である。
【図１９】実施例３に係るブラシ体のブラシ束における一部破断縦断側面図である。
【図２０】実施例４に係るブラシ体のブラシ束における一部破断縦断側面図である。
【図２１】実施例５に係るブラシ体の平面図である。
【図２２】図２１におけるＣ−Ｃ線断面図である。
【図２３】実施例６に係る泡立容器の縦断側面図である。
【図２４】実施例７に係る泡立容器の縦断背面図である。
【図２５】実施例８に係る泡立容器の縦断背面図である。
【図２６】実施例９に係る泡立容器の縦断側面図である。
【図２７】実施例１０に係る泡立容器の縦断側面図である。
【図２８】実施例１１に係る泡立容器の要部のみの縦断側面図である。
【図２９】実施例１２に係る泡立容器とホルダーの縦断側面図である。
【図３０】実施例１３に係る泡立容器とホルダーの縦断側面図である。
【図３１】実施例１４に係る泡立器の縦断側面図である。
【図３２】実施例１５に係る泡立容器の縦断側面図である。
【図３３】実施例１６に係る泡立器の縦断側面図である。
【図３４】実施例１７に係る泡立器の概念図である。
【図３５】実施例１８に係る泡立器の縦断側面図である。
【図３６】実施例１９に係る泡立器の縦断側面図である。
【発明を実施するための形態】
【００３１】
（実施例１）  図１ないし図１７は本発明の実施例１に係る美容器具を示す。本発明における前後、左右、上下とは、図２および図５の交差矢印と、交差矢印の近傍に表記した前後、左右、上下の表示に従う。図２において泡立器は、泡立容器１と、泡立容器１に装着される撹拌体（美容器具）２と、撹拌体（美容器具）２を泡立姿勢に支持するホルダー３とで構成される。泡立容器１は、平面視が円形で上向きに開口する泡生成部４と、泡生成部４を支持するスタンド５と、泡生成部４の後上部に連続して形成されるホルダー３を一体に備えたカレーポット状のプラスチック成型品からなる。なお、後述するように撹拌体２が、肌の洗浄或いはマッサージを行うブラシ付きの美容器具を兼ねている。
【００３２】
ホルダー３は、滑らかに連続するホルダー底壁８と、ホルダー底壁８に連続して上向きに延びる一対のホルダー側壁９とで断面Ｕ字形の樋体状に形成される。ホルダー底壁８とホルダー側壁９とは、その後端から泡生成部４へ向かって下り傾斜されており、ホルダー底壁８の後端の下面側には、後述するブラシ体２０を吊下げ支持する丸軸状のブラシ支持具１０が下向きに突設されている。撹拌体２の本体ケース２１をホルダー３に装着して撹拌姿勢に保持した状態において、本体ケース２１の下半周面はホルダー底壁８およびホルダー側壁９でしっかりと支持される。従って、泡立時に本体ケース２１に作用する回転反力をホルダー側壁９で受止めて、撹拌体２をホルダー３で安定した状態に支持できる。
【００３３】
図３に示すようにホルダー３の内部空間と泡生成部４の内部空間との間には、両空間を前後に区分する逆Ｖ字状の区分壁１１が形成され、その左右中央に前記両空間を連通する連通溝１２が、区分壁１１と直交する状態で凹み形成されている。ホルダー３の内部空間に臨む区分壁１１のうち、連通溝１２を囲む傾斜壁は、ホルダー３に装着した撹拌体２を受止めるための規制部１３として機能する。規制部１３はホルダー３の内部空間の傾斜下端に位置されている。区分壁１１で前後に区分されたホルダー３の内部空間と泡生成部４の内部空間とは、泡生成部４の上開口面より下方で連通されている。区分壁１１とホルダー底壁８との交差部分、つまり、ホルダー３の内部空間の傾斜下端で最も低い個所には排液口１４が上下貫通状に形成されており、本体ケース２１から流れ落ちてホルダー３内へ流下した液体は、先の排液口１４から排出される。
【００３４】
泡生成部４は、器底壁１５と、器底壁１５に連続して上向に延びる器周囲壁（周囲壁）１６とで、上向きに開口する容器状に構成されており、先の区分壁１１と対向する器周囲壁１６の前半周面の複数個所に、ブラシ体２０に強い圧力を付加し、その圧力で発泡要素に強い圧力を作用させながら泡立てを行う泡立リブ１７が設けられている。この実施例では、器周囲壁１６の前半周面の６個所において、連続波型の泡立リブ１７を器周囲壁１６の開口縁から器底壁１５にわたって形成した。泡立リブ１７が形成された器底壁１５から器周囲壁１６にわたる部分が、後述するブラシ束６１と共同して泡を発生させる起泡部Ｆとして機能する。なお、泡立リブ１７と対向する器周囲壁１６の後半周面は平滑な２次元平面で形成されている。上記のように、泡立リブ１７は上下方向に連続する断面が山形のリブで形成するが、上下方向に断続する断面が山形のリブで形成してあってもよい。
【００３５】
スタンド５は泡生成部４の下方からホルダー３の下方にわたって連出されて、前後に長い楕円形の伏皿状に形成されており、先に説明した排液口１４と対向するスタンド５の壁面に、後述する化粧カバー８０を収納保管する円形のカバー収納部１８が設けられている（図１参照）。なお、楕円形のスタンド５の後端は、ブラシ支持具１０の真下に位置している。このように、スタンド５を泡生成部４の下方からホルダー３の下方にわたって、前後に長く形成することにより、泡立容器１とホルダー３に装着した撹拌体２を安定した状態で支持でき、泡立器の全体の印象を優美でありながらシンプルなものとすることができる。
【００３６】
図４および図５に示すように撹拌体２は、泡生成部４に収容した発泡要素を撹拌するブラシ体２０と、ブラシ体２０を支持する上下に長い本体ケース２１と、本体ケース２１の内部に設けられてブラシ体２０を駆動するブラシ駆動構造などで構成する。本体ケース２１はグリップを兼ねており、上半の上ケース２２と、上ケース２２に対して着脱される有底筒状の下ケース２３と、上ケース２２の上端に固定されるエンドカバー２４とで構成されている。上ケース２２の右側面にはスイッチ凹部２５が凹み形成されており、その下部にモーター２８への給電状態を切換えるメインスイッチ（スイッチ）２６が設けられている。
【００３７】
図４に示すように、本体ケース２１の内部には内フレーム２７が収容されており、この内フレーム２７にモーター２８、電池２９、起振構造、およびモーター２８の回転動力を減速した状態で出力する伝動構造などが組込まれている。ブラシ駆動構造は、モーター２８と伝動構造と起振構造で構成される。ブラシ回転駆動構造は、モーター２８と伝動構造から構成される。図５に示すように、モーター２８は、本体ケース２１の上下方向の中心軸Ｑより肩部３４の側へ偏寄した位置に配置されている。符号３０は撹拌体２の運転モードに応じて発光表示するＬＥＤ灯である。図示していないが、スイッチ凹部２５と正対する上ケース２２の内部には、モーター２８および第１、第２の振動モーター５１・５２の駆動状態を制御する制御基板が配置されている。該制御基板は、内フレーム２７に固定されている。
【００３８】
上ケース２２は前後に長い楕円筒状に形成されており、ケース上端における楕円の長軸寸法は、ケース下端における楕円の長軸寸法より大きく設定されており、上ケース２２の全体が上広がり筒状に形成されている。図６に示すようにエンドカバー２４は上ケース２２の上開口を塞ぐ状態で後述するシール蓋４３にビス３２で締結されており、その上面にブラシ体２０を連結するためのボス壁３３が膨出形成され、ボス壁３３の前側下縁に沿って三日月状の肩部３４が前向きに張出されている。図１に示すように、本体ケース２１をホルダー３に装着して撹拌姿勢に保持した状態において、本体ケース２１の周面はホルダー底壁８およびホルダー側壁９で受止め支持されており、同時に肩部３４が先の規制部１３で受止められて位置決めされている。このように、ホルダー３に装着した撹拌体２を泡生成部４に対して位置決めすることにより、起泡部Ｆの器底壁１５および器周囲壁１６に接触したブラシ束６１の弾性変形量を常に一定にして均一化できる。これにより、撹拌体２をホルダー３に装着した状態において、ブラシ束６１が過剰に変形されて劣化するのを防止できる。装着状態における撹拌体２の重量の大半は、肩部３４と接合する規制部１３で受止められる。
【００３９】
図１０に示すように、本体ケース２１をホルダー３に装着して撹拌姿勢に保持した状態では、本体ケース２１のグリップ遊端が、ホルダー３の突端（後端）から突出する。詳しくは、ホルダー３で支持されている本体ケース２１の中心軸Ｑ方向の長さをＷ１とし、ホルダー３の突端から突出しているグリップ遊端側の中心軸Ｑ方向の長さをＷ２とするとき、不等式（Ｗ１＞Ｗ２）を満足するようにホルダー３および本体ケース２１が形成してある。また、メインスイッチ２６の近傍に撹拌体２の重心Ｇがあるとき、グリップ遊端はホルダー３の突端から水平距離Ｈ２の分だけ突出しており、重心Ｇはホルダー３の突端から水平距離Ｈ１の分だけブラシ体２０に近づく位置に位置している。なお、水平距離Ｈ１と水平距離Ｈ２の関係は、不等式（Ｈ１＞Ｈ２）を満足するように設定してある。このように、本体ケース２１の大半の部分をホルダー３で保持し、さらに撹拌体２の重心Ｇをホルダー３の突端より泡生成部４に近い側に位置させることにより、ホルダー３に装着した撹拌体２を、ホルダー３で安定した状態に支持することができる。また、泡立時に本体ケース２１に回転反力が作用する状態においても、ブラシ体２０が泡生成部４の器底壁１５から浮き離れる向きに本体ケース２１が傾くのを防止して、撹拌体２を安定した状態で撹拌姿勢に保持し続けることができる。
【００４０】
図６に示すように、モーター２８の回転動力は、その出力軸に固定した原動ギヤ３５と、第１減速ギヤ３６と、第２減速ギヤ３７と、終段ギヤ３８とからなる伝動構造で減速されて、終段ギヤ３８に固定した駆動軸３９から出力される。第１減速ギヤ３６と第２減速ギヤ３７は、それぞれ大径ギヤと小径ギヤを一体に備えており、第１中間軸４０と第２中間軸４１で回転自在に支持されている。第１中間軸４０は、内フレーム２７と、同フレーム２７の上端に固定したギヤフレーム４２とで軸支されており、第２中間軸４１は、ギヤフレーム４２と、上ケース２２の上開口を塞ぐシール蓋４３とで軸支されている。駆動軸３９は、シール蓋４３に組付けたベアリング４４で軸支されて、その上部がボス壁３３の中央に設けた連結穴４５に露出されている。図１１に示すように、駆動軸３９の上端には断面が六角形の駆動ピース４６が固定されている。駆動軸３９の基端は、シール蓋４３に装着した防水シール４７で封止されており、さらに、シール蓋４３と上ケース２２の接合面がＯリングで封止されている。従って、洗浄剤や泡、あるいは水が連結穴４５からシール蓋４３の内部に浸入することはない。ギヤフレーム４２とシール蓋４３は、複数個のビス４８で上ケース２２に締結されている。
【００４１】
起振構造は、本体ケース２１の中心軸Ｑと平行な回転軸を有する第１振動モーター５１と、本体ケース２１の中心軸Ｑと直交する回転軸を有する第２振動モーター５２とで構成されている。第１振動モーター５１では、本体ケース２１の前後方向を含む中心軸Ｑと平行な軸まわりの全周囲方向の振動を発生し、第２振動モーター５２では、本体ケース２１の上下方向を含む中心軸Ｑと直交する軸まわりの全周囲方向の振動を発生する。第１振動モーター５１は、シリンダー型のモーター５３と偏心錘５４とで構成されており、第２振動モーター５２は、コイン型のモーター５５と偏心錘５６とを円盤状のケースに封入して構成されている。このように、互いに直交する、異なる方向の振動を発生させる第１振動モーター５１と第２振動モーター５２とで起振構造を構成すると、両振動モーター５１・５２を同時に駆動した場合には、回転体２０に複雑な振動を付与することができる。また、第１振動モーター５１のみを駆動した場合には前後方向を含む中心軸Ｑと平行な軸まわりの全周囲方向の振動をブラシ体２０に付与することができる。つまり、第１振動モーター５１は、ブラシ束６１の突出方向と直交する方向にブラシ束６１を振動させることができるので、ブラシ束６１のブラシ毛の先端を洗浄対象である肌面に押し当てた状態で振動部５１を駆動しても、ブラシ束６１のブラシ毛が肌面に向けて振動することはないので、肌面へのダメージが緩和される。第２振動モーター５２のみを駆動した場合には上下方向を含む中心軸Ｑと直交する軸まわりの全周囲方向の振動をブラシ体２０に付与することができる。従って、例えばブラシ体２０による洗浄、あるいはマッサージ機能をより効果的に発揮できる。ブラシ体２０を肌面に接触させて洗浄を行う場合には、振動で毛穴に入込んでいる汚れや化粧料などを、肌を傷めることなく洗い落すことができる。第２振動モーター５２は省略することができる。
【００４２】
図７においてブラシ体２０は、本体ケース２１に回転可能に支持されるブラシベース６０と、ブラシベース６０に支持される一群のブラシ毛からなるブラシ束６１を備えている。ブラシベース６０は、ブラシ束６１を固定保持する丸筒状のブラシ支持体６２と、ブラシ支持体６２で上下スライド自在に支持した調整リング６３と、ブラシ支持体６２の下面中央に突設した継手体６４とを備えている。調整リング６３は、ブラシ支持体６２の周面を覆う通常位置（図７に示す状態）と、ブラシ支持体６２の上端寄りまでスライド操作されて、ブラシ束６１の中途部を絞る縮径位置（図９に示す状態）とにスライド操作できる。ブラシ束６１の中途部を絞ることによって、小鼻周辺などを念入りに洗浄することができる。また、中途部を絞る際、調整リング６３により毛束６１の突出寸法が短くなるため、毛束６１の弾性反力が増加し肌面に強く毛束６１を接触させて洗浄やマッサージを行うことができる。継手体６４は、ブラシ体２０をブラシ支持具１０に係合装着するための装着構造９３を兼ねている。
【００４３】
調整リング６３を上下スライドのみ可能に案内するために、図８に示すようにブラシ支持体６２および調整リング６３の対向周面のそれぞれに平坦なスライド面６５を設け、スライド面６５の中央にガイドリブ６６とスライド溝６７を設けている。さらに、調整リング６３を通常位置と縮径位置において位置保持するために、スライド面６５から位相が９０度ずれた位置のブラシ支持体６２の周面の上下と、調整リング６３の内周面の下端とに係合リブ６８・６９を設けている。図１１に示すように、継手体６４は、回転力を受ける３個の受動壁７０と、駆動ピース４６に係合する３個の弾性腕７１とを交互に配置して六角筒状に形成されており、各弾性腕７１の内面の下端寄りに係合片７２が突設されている。
【００４４】
ブラシ束６１は、繊維径が５０〜７０μｍの合成繊維の一群を断面円形に束ねて、その下部を金属板製の保持リング７５で固定して構成されており、保持リング７５をブラシ支持体６２の筒壁の内面に嵌込んで接着固定することにより、ブラシ支持体６２と一体化されている。ブラシ束６１は、保持リング７５の上縁から上方へ延びる棒状のブラシ軸部７６と、ブラシ軸部７６の先端に形成される外突湾曲状のブラシ先端部７７と、ブラシ先端部７７（ブラシ束６１の先端面）の回転中心軸Ｐ（回転中心）を含む中央部に凹み形成される凹部７８とを備えている。この実施例においては、ブラシ束６１をブラシベース６０の側からブラシ先端部７７へ向かって上広がり状に形成して、ブラシ軸部７６を逆円錐台状に形成し、ブラシ先端部７７を部分球面状に形成した。また、凹部７８は平面視が円形の部分球面状（ドーム状）の凹曲面（湾曲面）で形成して、その内部に洗顔剤などの発泡剤を保持できるようにした。ブラシ軸部７６は、より多くの泡や洗浄剤を含むことに役立っており、ブラシ先端部７７は洗浄剤を効果的に泡立てることに役立っている。なお、本実施例の調整リング６３を省略して、ブラシベース６０をブラシ支持体６２と継手体６４で構成することができる。さらに、ブラシ束６１の下端部をブラシ支持体６２で固定保持して、ブラシ支持体６２が保持リング７５を兼ねるようにすることができる。
【００４５】
図１６、図１７に示すように、凹部７８は、底壁７８ａと、底壁７８ａに連続し、底壁７８ａの全周囲を囲む側壁７８ｂとで形成されている。また、図１７に示すように凹部７８は、１本１本のブラシ毛の先端が集まって形成されている。換言すれば凹部７８は、ブラシ束６１の先端面で形成されている。つまり、凹部７８の下方にもブラシ束６１が存在するため、そのブラシ束６１部分でも泡を含ませることができるので、ブラシ束６１に多くの泡を含ませることができる。また、図１７に示すように、凹部７８の底壁７８ａは内凹み状の部分球面状に形成されており、凹部７８の側壁７８ｂは、全周囲において内凹み状の湾曲面で構成されている。さらに、凹部７８の径寸法が、底壁７８ａから開口部７８ｃに向かって広くなるよう構成されている。このように本実施例における凹部７８は、平面視が円形である内凹みのドーム状に形成されている。図１６における矢印は回転中心軸Ｐを中心に回転するブラシ体２０の回転方向を示すものである。
【００４６】
図７、図１７に示すように、ブラシベース６０から突出するブラシ束６１の突出基端６１ａから底壁７８ａまでの寸法Ｈ２よりも凹部７８の開口部７８ｃから底壁７８ａの最深部７８ａａまでの寸法Ｈ１を小さく設定している。上述したように、ブラシ束６１が、棒状のブラシ軸部７６と、ブラシ軸部７６の先端に形成される外突湾曲状のブラシ先端部７７と、ブラシ先端部７７の中央部に凹み形成された凹部７８とを備えている。さらに、図７、図１７に示すように、凹部７８の底壁７８ａの最深部７８ａａが、外突湾曲状のブラシ先端部７７と棒状のブラシ軸部７６との境界線７７ａと、凹部７８の開口部７８ｃとの間に位置している。また、凹部７８の湾曲面の曲率をブラシ先端部７７の湾曲面の曲率よりも大きく設定している。
【００４７】
ブラシ体２０を構成するブラシベース６０およびブラシ束６１の、各部の寸法関係は以下に説明するように設定することが好ましい。図７に示すように、ブラシベース６０の直径（横幅）をＤとし、ブラシ束６１のブラシベース６０からの突出寸法をＨとするとき、  ブラシベースの横幅Ｄとブラシ束の突出寸法Ｈとが、不等式（Ｄ／２＜Ｈ）を満足するように設定する。後述するように、洗顔を行う場合には、ブラシ軸部７６の軸周面を顔肌にあてがった状態で洗浄するが、上記のように、ブラシ束６１のブラシベース６０からの突出寸法Ｈを大きくすると、顔肌をブラシ束６１で洗浄するときのブラシ軸部７６の腰の強さを弱くできるので、ブラシ軸部７６の顔肌に対する接触感をソフトで滑らかなものとすることができる。また、上下に長いブラシ束６１により多くの泡を含ませて、ブラシ軸部７６と顔肌の接触を滑らかなものとして、顔肌がダメージを受けるのを防止できる。
【００４８】
また、ブラシベース６０の横幅をＤとし、ブラシ束６１のブラシベース６０からの突出寸法をＨとするとき、ブラシベース６０の横幅Ｄと、ブラシ束６１の突出寸法Ｈとが、不等式（Ｄ＜Ｈ）を満足するように設定する。こうしたブラシ体２０によれば、ブラシ束６１のブラシベース６０からの突出寸法Ｈをさらに大きくすることができる。従って、ブラシ軸部７６の顔肌に対する接触感をさらにソフトで滑らかなものとすることができ、上下に長いブラシ束６１にさらに多くの泡を含ませて、ブラシ軸部７６と顔肌の接触を滑らかなものとすることができる。
【００４９】
ブラシ束６１に関しては、ブラシベース６０の直径（横幅）をＤとし、ブラシ軸部７６の上端における直径（横幅）をＤ１とするとき、ブラシベース６０の直径（横幅）Ｄと、ブラシ軸部７６の直径（横幅）Ｄ１とが、不等式（Ｄ＜Ｄ１）を満足するように設定する。このように、ブラシ軸部７６を逆円錐台状に形成し、ブラシ軸部７６とブラシ先端部７７との境界付近の直径が大きくなるので、泡立時における周速度を大きくして、泡を効果的に生成できる。また、ブラシ先端部７７が部分球面状に形成してあるので、泡立時の器底壁１５および器周囲壁１６とブラシ先端部７７の接触面積を大きくして、泡をさらに効果的に生成できる。
【００５０】
上記のように構成したブラシ体２０は、図６に示すように、ブラシベース６０の継手体６４を駆動ピース４６に連結して、ブラシ体２０を本体ケース２１と一体化して使用する。ブラシ体２０を駆動軸３９に連結した状態においては、各弾性腕７１の係合片７２が駆動ピース４６の下端面に係合して、ブラシ体２０が駆動軸３９から分離するのを防止している。上記とは異なり、ブラシ体２０を駆動軸３９から取外して、ブラシベース６０を片手で持った状態で、ブラシ体２０を単体で使用することができる。このように、単独で使用する際のブラシ体２０の外観上の体裁を向上し、さらに、ブラシベース６０の下面に突出する継手体６４を保護するために、ブラシベース６０の下面に化粧カバー８０を着脱自在に装着している。
【００５１】
上記のように、撹拌体２のブラシ体２０を本体ケース２１に対して着脱可能に連結すると、ブラシ体２０を本体ケース２１から取外した状態で単独で使用できる。従って、ブラシ体２０ですくい取った泡をていねいに肌面に塗付することができる。泡を塗付するときは、本体ケース２１に比べて軽量のブラシ体２０のみを保持すればよいので、持ち重りすることもなくていねいに泡を塗付できる。また、ブラシ体２０を肌面に接触させてなでつけることにより、ユーザーの好みに合った洗浄状態で肌面を積極的に洗浄できるうえ、泡を塗付するときと同様に持ち重りすることもなく肌洗浄を行える。肌洗浄時に電力を消費することもない。加えて、ブラシ体２０を水洗い洗浄するときに、ブラシ体２０の隅々までていねいに洗浄して泡を確実に洗い流すことができる利点もある。
【００５２】
図７において化粧カバー８０は、上向きに開口する円形容器状のカバー本体８１と、カバー本体８１の内面中央に設けた装着部８２と、開口周縁に張出し形成した舌片状の指掛片８３とを一体に備えたプラスチック成型品からなる。装着部８２は、ブラシ支持体６２の継手体６４に対応して六角筒状に形成してあり、装着部８２を継手体６４に外嵌係合することにより、化粧カバー８０をブラシ支持体６２と一体化して、継手体６４（装着構造９３）の外面をカバー本体８１で覆い隠すことができる。この状態のブラシベース６０を片手で持って、ブラシ体２０を使用することができる。
【００５３】
上記のように、ブラシ体２０を本体ケース２１から取外して、化粧カバー８０で装着構造９３の外面を覆うようにすると、ブラシ体２０を本体ケース２１から分離して使用するときの外観を化粧カバー８０で整えることができる。また、装着構造９３を化粧カバー８０で覆うので、ブラシベース６０を片手で握ってブラシ体２０を使用するときに、手指が装着構造９３に当たるのを防止できる。さらに、装着構造９３を兼ねる継手体６４に異物が付着するのを防止して、継手体６４と駆動ピース４６との接続を常に適正に行うことができる。
【００５４】
化粧カバー８０をブラシ体２０に装着した状態における指掛片８３は、ブラシベース６０と化粧カバー８０の接合面の外方へ突出しているので、指掛片８３に指先をかけた状態で化粧カバー８０を取外し操作することにより、化粧カバー８０をブラシ支持体６２から簡便に分離できる。また、ブラシベース６０をつかんだ手指を指掛片８３の周縁で受止めて、手指が滑るのを防止できる。指掛片８３には吊掛穴８４が形成されている。化粧カバー８０のカバー本体８１は、水または湯などの発泡液の計量容器を兼ねており、その内面には計量表示が設けられている。詳しくは、この実施例における計量容器は六角筒状の装着部８２であって、その筒壁の外周面に計量表示を印刷し、あるいは筒壁の外周面に形成した凹リブ状や凸リブ状で計量表示を形成している。従って、計量表示の周囲をカバー本体８１で覆って保護することができる。なお、より多くの水または湯を計量する必要がある場合には、カバー本体８１を計量容器とすることができ、あるいは、カバー本体８１と装着部８２の両者を計量容器とすることができる。
【００５５】
以上のように構成した泡立器を用いて洗顔を行う場合について、泡立容器１と撹拌体２による泡立作用の詳細と、ブラシ体２０による肌洗浄作用の詳細を以下に説明する。まず、ブラシ体２０を駆動軸３９に連結し、クリーム状の適量の洗顔用の洗浄剤を凹部７８に付着させて、図１０に示すように本体ケース２１をホルダー３に装着したのち、ブラシ体２０に適量の水または湯を含浸させる。この時、化粧カバー８０のカバー本体８１で水または湯を計量することにより、洗浄剤に対する水または湯を過不足なくブラシ体２０に含ませることができる。給水後の化粧カバー８０は、その開口面が上向きになる状態でカバー収納部１８に収納保管する。この状態の化粧カバー８０が、排液口１４から排出されて落下する水滴を受止める水受９４を兼ねている。本体ケース２１をホルダー３に装着した状態において、モーター２８は本体ケース２１の中心軸Ｑより肩部３４の側へ偏寄した位置に位置している。そのため、ホルダー３で支持された本体ケース２１の重心をホルダー底壁８に近い側に位置させて、撹拌体２の全体を安定した状態で支持することができる。なお、凹部７８を備えていないブラシ体２０の場合には、部分球面上のブラシ先端部７７に洗浄剤を付着させるとよい。
【００５６】
図１に示すように、ホルダー３に装着した本体ケース２１は、その肩部３４が規制部１３で受止められて斜め下向きの横臥姿勢で位置決めされる。そのため、ブラシ体２０の回転中心軸Ｐは、泡生成部４の外周側から容器中央へ向かって下り傾斜している。このように、本体ケース２１をホルダー３に装着した状態では、本体ケース２１の大半の部分がホルダー３で保持され、さらに撹拌体２の重心Ｇがホルダー３の突端より泡生成部４に近い側に位置しているので、ホルダー３に装着した撹拌体２を、ホルダー３で安定した状態で支持することができる。また、本体ケース２１を撹拌姿勢にした状態では、ブラシ束６１が器底壁１５から器周囲壁１６にわたる起泡部Ｆに接触して、その先端が一定量だけ弾性変形している。この状態でメインスイッチ２６をオン操作すると、図１２に示すように、モーター２８が起動して、その回転動力が伝動構造で減速されたのちブラシ体２０に伝動される。このときのモーター２８は、低速回転（５０００ｒｐｍ）するように設定されており、モーター２８が起動してから１分が経過するまで、その状態を維持する。そして、低速回転時間が１分に達するとモーター２８は増速されて高速回転（１００００ｒｐｍ）する。さらに、高速回転モードに移行して１分が経過すると、モーター２８を停止させて泡立モードを終了する。なお、モーター２８が低速で駆動されているときの駆動軸３９およびブラシ体２０の駆動回転数は１５０ｒｐｍであり、モーター２８が高速で駆動されているときの駆動軸３９およびブラシ体２０の駆動回転数は３００ｒｐｍである。泡立て開始から所定時間が経過した時点でモーター２８を停止して泡立てを終了させるので、その間に、肌面の下処理などの他の作業を並行して行える利点もある。泡立モードにおいてモーター２８の駆動回転数を低速回転から高速回転へと段階的に増加させると、モーター２８の駆動回転数が増加するのに伴って、駆動音の音量や周波数特性が変化する。従って、ユーザーは駆動音を聞くだけで、泡立て作業の進行状況を明確に把握することができる。また、泡立モードの開始直後にモーター２８を低速回転させると、ブラシ体２０に付着させた洗浄剤と、ブラシ体２０に含ませた水とをよくなじませて、洗浄剤と水をブラシ体２０に均等に含ませて泡をむらなく生成することができる。さらに、生成された泡がブラシ体２０の遠心力で跳ね飛ばされるのを防止できる。モーター２８を段階的に増速すると、低速回転時より多くの空気を取込んで泡塊を効果的に生成でき、同時に、泡塊をブラシ体２０で繰返し撹拌して、生成された泡の泡径を小さくし、その肌理を細かくして泡の性状を好適化できる。
【００５７】
泡立モードが終了したら、本体ケース２１をホルダー３から取外す。この時、図１０に示すように、ホルダー３に装着した状態の本体ケース２１のグリップ遊端側が、ホルダー３の突端から斜後方向へ大きく突出しているので、突出するケース部分を手掛かりにして本体ケース２１を容易にホルダー３から取外すことができる。ホルダー３から分離した状態のブラシ体２０のブラシ束６１には生成した大量の泡が含まれている。とくにブラシ軸部７６は多くの泡を含んで膨らんでおり、さらにブラシ軸部７６やブラシ先端部７７の周面には肌理細かな弾力に富む泡が付着している。凹部７８にも肌理細かな弾力に富む泡が保持されている。従って、グリップを兼ねる本体ケース２１を把持して撹拌体２をホルダー３から分離したのち、余分な泡を器周囲壁１６の開口縁でしごいてブラシ体２０の外形を整え、ブラシ体２０に保持されている泡を顔肌などの肌面に直接塗付することができる。ブラシ体２０に含まれる泡の残量が少なくなってきたら、泡生成部４内の泡塊をブラシ体２０で掬いとって、頬回り、額、あご、鼻などの顔肌に塗付する。
【００５８】
上記の状態で、ブラシ体２０のブラシ軸部７６の軸周面（ブラシ束６１の周側面）或いはブラシ束６１の先端面であるブラシ先端部７７を洗浄すべき顔肌などの肌面にあてがい、メインスイッチ２６を１回オン操作すると、第１振動モーター５１が起動して、本体ケース２１およびブラシ体２０を、前後を含む全周囲方向へ振動させて、肌洗浄（マッサージ）モードに移行する。また、メインスイッチ２６を短く２回オン操作すると、第２振動モーター５２が駆動して、本体ケース２１およびブラシ体２０を、上下を含む全周囲方向へ振動させて、肌洗浄（マッサージ）モードに移行する。また、メインスイッチ２６を長押しすれば、再びモーター２８が駆動して回転中心軸Ｐまわりにブラシ体２０を回転させて、ブラシ体２０の回転による肌洗浄（マッサージ）モードに移行することができる。このように３つの肌洗浄（マッサージ）モードは、いずれのモードも一定時間が経過したのちにモーター５１・５２・２８を停止させて自動的に肌洗浄モードを終了するよう制御されている。また、美容器具のオフ状態において、メインスイッチ２６を長押しすればいつでもブラシ体２０の回転による肌洗浄（マッサージ）モードを利用できるよう制御されている。いずれの肌洗浄モードであっても、顔肌など肌面に付着している皮脂、古い角質、あるいは毛穴に入込んでいる汚れや化粧料などを洗い落すことができる。肌洗浄モードを開始してから２分が経過すると、第１振動モーター５１または第２振動モーター５２またはモーター２８が停止し肌洗浄モードが終了するので、それまでの間に頬回りや額などをブラシ先端部７７或いはブラシ軸部７６で洗浄する。第１振動モーター５１、第２振動モーター５２ともに音波振動を発生するものである。最後に、本体ケース２１をホルダー３に再装着して、水または湯を使用して肌面に付着している泡を洗い流し、水気を取り除いた状態で化粧水などを顔肌に塗付して洗顔を終了する。洗浄時には、ブラシ体２０の振動作用或いはブラシ体２０の回転による摺動によって、顔肌などの肌面をマッサージできるので血行を促進できる効果もある。もちろんマッサージを主として、ブラシ体２０の振動或いはブラシ体２０の回転による摺動を行うこともできる。ブラシ体２０の回転による肌洗浄（マッサージ）モードの場合は、ブラシ体２０の回転速度は、泡立モード時のブラシ体２０の回転速度よりさらに小さな回転速度で回転駆動している。これにより、肌面に対する刺激を小さくすることができる。ブラシ束６１の材質や太さによって刺激が低下するものであれば、洗浄（マッサージ）効果を向上させるため逆に回転数を上げるよう制御させてもよい。より強い刺激を与えた状態で肌洗浄を行う必要がある場合には、ブラシ体２０を起振構造で振動させ、さらにブラシ体２０を回転駆動した状態で肌洗浄を行うことができるスイッチを別途設けることができる。
【００５９】
ブラシベース６０にブラシ束６１を設けるとき、ブラシ束６１の先端面を平坦面や外突湾曲面として形成した場合、このブラシ束６１を含むブラシ体２０を回転中心軸Ｐまわりに回転させると、ブラシ束６１の回転中心を含む中央部が回転駆動時にねじれて剛性が増す。剛性が増せばブラシ束６１の中央部が棒状となって肌にブラシ先端をあてがって回転洗浄または回転マッサージを行う際、肌が過剰に押されて肌にダメージを与えてしまう虞れがある。そこで、ブラシ体２０を、本体ケース２１に支持されるブラシベース６０と、ブラシベース６０に支持されるブラシ束６１とで構成し、ブラシ束６１の先端面の回転中心を含む中央部に凹部７８を形成した。ブラシ束６１の先端面の中央部に凹部７８が設けられていると、ブラシ体２０を回転駆動してブラシ束６１の先端面による肌の洗浄或いはマッサージを行うとき、ブラシ束６１の回転中心軸Ｐを含む中央部に位置する毛束が棒状となるのを防止することができるので、肌へのダメージを抑制することができる。
【００６０】
凹部７８は、底壁７８ａと、底壁７８ａを全周囲において囲む側壁７８ｂとを含み、かつ、凹部７８が、ブラシ束６１の先端面で形成されている。これにより、凹部７８で泡塊を保持することができ、そこから泡を繰り出すことができるので、ブラシ束６１の先端面における摺動摩擦を軽減できる。したがってブラシ体２０を回転駆動してブラシ束６１の先端面による肌の洗浄或いはマッサージを行うとき、肌へのダメージを抑制することができる。また、凹部７８の下方にもブラシ束６１が存在するため、そのブラシ束６１部分でも泡を含ませることができるので、ブラシ束６１に多くの泡を含ませることができる。
【００６１】
凹部７８の側壁７８ｂが、内凹み状の湾曲面で構成されていると、ブラシ束６１の先端面を肌に強めに押し当てても凹部７８内のブラシ束６１の先端面が肌に当たり難い。したがって、ブラシ体２０を回転駆動してブラシ束６１の先端面による肌の洗浄或いはマッサージを行うとき、ブラシ束６１がよじれて棒状となるのを防止でき、棒状となったブラシ束６１の先端面で肌にダメージを与えるのを防止できる。
【００６２】
凹部７８の径寸法が、底壁７８ａから開口部７８ｃに向かって広くなるよう構成されていると、遠心力により凹部７８内にある泡塊を迫り上げて肌面に供給することができる。したがってブラシ体２０を回転駆動してブラシ束６１の先端面による肌の洗浄或いはマッサージを行うとき、ブラシ束６１の先端面における摺動摩擦を軽減することができ肌へのダメージを抑制することができる。
【００６３】
凹部７８が、平面視が円形のドーム状に形成されていると、遠心力により凹部７８内にある泡塊をよりスムーズに迫り上げて肌面に供給することができる。したがってブラシ体２０を回転駆動してブラシ束６１の先端面による肌の洗浄或いはマッサージを行うとき、ブラシ束６１の先端面における摺動摩擦を軽減することができ肌へのダメージを抑制することができる。
【００６４】
ブラシベース６０から突出するブラシ束６１の突出基端６１ａから底壁７８ａまでの寸法Ｈ２よりも凹部７８の開口部７８ｃから底壁７８ａまでの寸法Ｈ１を小さく設定すると、凹部７８内のブラシ束６１の先端面が肌面に当接し難いという効果がある一方で、凹部７８の底壁７８ａから肌面までの距離が近づくため、凹部７８内の泡が肌面に供給されやすくなり、これにより肌へのダメージを抑制することができる。
【００６５】
ブラシ束６１が、棒状のブラシ軸部７６と、ブラシ軸部７６の先端に形成される外突湾曲状のブラシ先端部７７と、ブラシ先端部７７の中央部に凹み形成された凹部７８とを備えていると、外突湾曲状のブラシ先端部７７を肌面にフィットさせることができ、肌面の洗浄或いはマッサージを適切に行うことができる。一方、ブラシ軸部７６には泡を含ませることができ、肌面にその泡を供給することができる。
【００６６】
凹部７８の底壁７８ａが、外突湾曲状のブラシ先端部７７と棒状のブラシ軸部７６との境界線７７ａと、凹部７８の開口部７８ｃとの間に位置していると、凹部７８の底壁７８ａから肌面までの距離が近づくため、凹部７８内の泡が肌面に供給されやすくなり、これにより肌へのダメージを抑制することができる。肌の洗浄或いはマッサージを行うとき、外突湾曲状のブラシ先端部７７が肌面に押されて弾性変形するが、このとき、凹部７８の空間が減少することで凹部７８に保持されている泡が強制的に絞り出されてブラシ束６１の先端面における摺動摩擦を軽減することができる。これにより肌へのダメージを抑制することができる。
【００６７】
ブラシベース６０の横幅をＤとし、ブラシ束６１のブラシベース６０からの突出寸法をＨとするとき、ブラシベース６０の横幅Ｄとブラシ束６１の突出寸法Ｈとを、不等式（Ｄ／２＜Ｈ）を満足するように設定してあると、肌面をブラシ束６１で洗浄するときのブラシ軸部７６の腰の強さを弱くできるので、ブラシ先端部７７或いはブラシ軸部７６の顔肌に対する接触感をソフトで滑らかにすることができる。さらに、上下に長いブラシ束６１により多くの泡を含ませて、ブラシ先端部７７もしくはブラシ軸部７６と肌面の接触を滑らかなものとして、洗浄時に肌面がダメージを受けるのを防止できる。
【００６８】
ブラシベース６０の横幅をＤとし、ブラシ束６１のブラシベース６０からの突出寸法をＨとするとき、ブラシベース６０の横幅Ｄと、ブラシ束６１の突出寸法Ｈとを、不等式（Ｄ＜Ｈ）を満足するように設定してあると、ブラシ束６１のブラシベース６０からの突出寸法Ｈをさらに大きくすることができる。これにより、ブラシ先端部７７或いはブラシ軸部７６の肌面に対する接触感をさらにソフトで滑らかなものとすることができ、上下に長いブラシ束６１にさらに多くの泡を含ませて、ブラシ先端部７７もしくはブラシ軸部７６と肌面の接触を滑らかなものとすることができる。
【００６９】
ブラシベース６０の横幅をＤとし、ブラシ軸部７６の上端における横幅をＤ１とするとき、ブラシベース６０の横幅Ｄと、ブラシ軸部７６の横幅Ｄ１とを、不等式（Ｄ＜Ｄ１）を満足するように設定してあると、ブラシ軸部７６を逆円錐台状に形成して、ブラシ軸部７６とブラシ先端部７７との境界付近の直径を大きくすることができる。従って、洗浄時における前記境界付近の周速度を大きくして、洗浄効果を向上できる。また、凹部７８の湾曲面の曲率をブラシ先端部７７の湾曲面の曲率よりも大きく設定していると、ブラシ先端部７７が緩やかに湾曲するためブラシ先端部７７の先端面の肌当たりがよい。
【００７０】
このように泡立容器１から取り外した撹拌体２は、泡を伴って肌を刺激して肌洗浄を行うことができる電動式の洗浄ブラシとして利用できる。この場合、その洗浄ブラシが美容器具となる。例えば、ブラシ束６１のそれぞれのブラシ先端を丸く形成して、そのブラシ先端部分を肌に押しつけながらブラシ体２０を回転または回転および振動させることで、肌の血行を促進できるマッサージブラシとすることができる。この場合、そのマッサージブラシが美容器具となる。本実施例では、泡立容器１に撹拌体（美容器具）２のスタンド機能を持たせたが、泡立て機能を無くしてスタンド機能のみを持たせたものであってもよい。ブラシ体２０と本体ケース２１からなる洗浄ブラシまたはマッサージブラシを美容器具として、当該美容器具と、当該美容器具を単に装着して支持するスタンドとにより美容機器を構成するものであってもよい。
【００７１】
洗浄が終了したら、本体ケース２１から取外したブラシ体２０と泡立容器１を水洗いし、泡立容器１およびブラシ体２０に付着している泡を洗い流して水切りする。次に、図１３に示すように、ブラシ体２０の継手体６４を泡立容器１のブラシ支持具１０に係合して、ブラシ束６１が下向きになる状態でブラシ体２０を泡立容器１に固定し、ブラシ束６１を乾燥させその状態のままで保管する。本体ケース２１はホルダー３に装着してもよいし、泡立容器１から分離した状態で保管してもよい。なお、泡立モードが終了したのち、一定時間が経過した時点で自動的に肌洗浄モードに移行して、第１振動モーター５１と第２振動モーター５２を交互（例えば１０秒毎）に起動して肌洗浄を行い、さらに一定時間が経過したのちに両モーター５１・５２を停止させて自動的に肌洗浄モードを終了することができる。
【００７２】
撹拌体２を泡立モードで作動させる状態において、ブラシ体２０の回転中心軸Ｐは図１４のように下り傾斜して、そのブラシ束６１の先端が起泡部Ｆに臨む器周囲壁１６と器底壁１５とに同時に接触して、ブラシ先端が上向きに弾性変形している。また、泡生成部４のホルダー３側の器底壁１５には、図１４に矢印で示す範囲に、器底壁１５に連続して起泡部Ｆへ向かって下り傾斜する泡還流壁８８が設けられている。さらに、起泡部Ｆに臨む器周囲壁１６と器底壁１５に接触しているブラシ体２０は、泡生成部４の左右中央に保持されており、しかも、断面円形に形成したブラシ束６１の半径が、凹曲面状の器底壁１５の湾曲面の曲率半径より小さく設定されているため、ブラシ束６１の右半周面と器周囲壁１６との間に、空気の導入を促す空気導入隙間８９が形成される（図１５参照）。この状態のブラシ体２０を、図１５に矢印Ｓで示すように、起泡部Ｆと正対する側から見て時計回転方向へ回転駆動することにより、ブラシ束６１に一定の圧力が作用する状態で発泡要素を発泡させることができ、さらに、ブラシ先端部７７とブラシ軸部７６の一部を泡立リブ１７に衝突させて、泡塊を繰返し撹拌することができる。従って、ブラシ束６１で発泡要素と泡塊に圧力をかけながら発泡し流動させることができるので、発泡要素を効果的に発泡させることができる。
【００７３】
詳しくは、ブラシ先端部７７は起泡部Ｆに臨んで隣接する泡立リブ１７を、弾性変形しながら次々に乗り越え、その間にブラシ束６１の先端を大きく弾性変形させ、しかも泡立リブ１７を乗越えるごとにブラシ束６１を躍動させて、発泡要素に強い圧力を加えながら発泡要素をさらに効果的に発泡できる。さらに、ブラシ束６１が弾性変形する間に、周囲の空気を取込みながら泡塊を生成することができる。従って、泡立リブ１７を備えていない泡生成部４に比べて、泡塊の生成と泡の細分化とをさらに効果的に行うことができる。なお、泡立リブ１７を有する場合でも起泡部Ｆに臨む器周囲壁１６と器底壁１５に接触しているブラシ体２０のブラシ束６１の先端が弾性変形しており、撹拌姿勢に保持した撹拌体２のブラシ体２０をブラシ回転駆動構造で回転駆動すれば、ブラシ束６１に一定の圧力が作用する状態でブラシ体２０を回転駆動することができる。すなわち、一定の圧力とは、泡立リブ１７を有する場合でも、ブラシ束６１にかかる圧力が大小変化するものの、回転時間がいくら経過しても回転中はその上下する圧力の幅は一定であるので、泡立リブ１７を有する場合でもブラシ束６１に一定の圧力が作用すると理解するものである。波状に設けられた泡立リブ１７に換えてドーム状の突起が多数設けられたものであっても同様にブラシ束６１に一定の圧力が作用する状態でブラシ体２０を回転駆動することができる。従来のように泡立容器とブラシによって手動で泡立てを行うと撹拌する際の圧力が一定ではなくなり泡立て結果に個人差が生じやすく、ユーザーによっては十分な量の細かな泡を手際よく発泡させるのが難しい。
【００７４】
このとき、図１５に向かって右半分側のブラシの周囲においては、ブラシ束６１に付着した泡が、泡立リブ１７や器周囲壁１６および器底壁１５に押付けられて揺さぶられ、空気が強制的に混入される。また、図１５に向かって左半分側のブラシの周囲においては、生成された泡塊がブラシ体２０の回転力を受けて周囲に跳ね飛ばされ、起泡部Ｆに臨む器周囲壁１６で受止められて、同壁１６に沿って器底壁１５へと流れ落ちる。このように、左半分側の器周囲壁１６は泡流下壁９０として機能している。このとき、図１５に向かって右半分側のブラシの周囲においては、ブラシ束６１に付着した泡が、泡立リブ１７や器周囲壁１６および器底壁１５に押付けられて揺さぶられ、空気が強制的に混入される。また、図１５に向かって左半分側のブラシの周囲においては、生成された泡塊がブラシ体２０の回転力を受けて周囲に跳ね飛ばされ、起泡部Ｆに臨む器周囲壁１６で受止められて、同壁１６に沿って器底壁１５へと流れ落ちる。このように、左半分側の器周囲壁１６は泡流下壁９０として機能している。器周囲壁１６から器底壁１５にわたって泡立リブ１７を形成すると、器周囲壁１６に沿って弾性変形しているブラシ束６１の上半部と、器底壁１５に沿って弾性変形しているブラシ束６１の下半部とで、ブラシ束６１が泡立リブ１７を乗越えるときの方向を逆向きにできる。従って、ブラシ束６１の先端部に捕捉された泡塊を複雑に揺り動かして、泡径が小さな肌理の細かい泡塊を形成することができる。器周囲壁１６の開口縁から器底壁１５にわたって泡立リブ１７を形成すると、ブラシ束６１の先端のすべてが弾性変形した状態で泡立リブ１７を乗越えて、ブラシ束６１の先端の全体で泡塊を生成することができる。また、上下方向に長い泡立リブ１７と、隣接する泡立リブ１７の間の溝に案内されて、上方へ跳ね飛ばされた泡をブラシ体２０や起泡部Ｆへ確実に戻すことができるので、繰返し泡を撹拌して泡径が小さな肌理の細かい泡塊を生成することができる。さらに、泡立リブ１７を乗越えるときのブラシ束６１の先端は、隣接する泡立リブ１７の間の器周囲壁１６と泡立リブ１７とで形成される凹凸面に倣って飛跳ねるように弾性変形して、ブラシ束６１に含まれている泡や、ブラシ束６１の周囲の泡塊を激しく揺り動かしなら撹拌することができるので、泡の生成と泡径の微細化とを効果的に行って、ムース状の泡塊を効率よく生成できる。泡立リブ１７は必ずしも上下に長いリブ状の突起である必要はなく大小のドーム状の突起を泡生成部４の内面壁に多数設けたものであってもよい。
【００７５】
泡立モードにおいては、起泡部Ｆに臨む器底壁１５の断面形状が、凹曲面状の湾曲面で形成してあるので、起泡部Ｆと接触するブラシ束６１の周面と器底壁１５との間に形成される空気導入隙間８９の周辺の空気を、ブラシ束６１で巻込んで起泡部Ｆへと送り込むことができる。つまり、空気導入隙間８９を設けることで、ブラシ束６１で生成された泡塊と空気とを空気導入隙間８９から同時に取込んで、ブラシ束６１と器底壁１５の間に巻込むことができるので、泡塊の生成と泡の細分化とをさらに効果的に行うことができる。
【００７６】
さらに、断面円形に形成したブラシ束６１の半径が、凹曲面状の器底壁１５の湾曲面の曲率半径より小さく設定してあるので、器周囲壁１６と、ブラシ束６１の左右周面との間に自由空間が形成され、自由空間を通過するブラシ束６１によって空気を効率よく巻込むことができるので、泡塊と空気の撹拌とを繰返し行って、弾力に富む肌理の細かなムース状の泡塊を生成することができる。
【００７７】
泡塊の生成量が増加するのに伴って、泡塊の一部は図１５に向かって右半分側の空気導入隙間８９を介して泡還流壁８８の側へ流動する。しかし、泡還流壁８８を含む器底壁１５の全体が、起泡部Ｆへ向かって下り傾斜されているため、ブラシ体２０と泡還流壁８８の間に位置する泡塊は、ブラシ束６１の先端へ向かって流動し、再びブラシ束６１で撹拌される。このように、泡を生成しながら泡塊をブラシ束６１で繰返し撹拌することにより、泡径が小さく肌理の細かな泡塊を効率よく生成できる。従って、回転ブラシを一定の速度で回転駆動して泡立を行う従来の泡発生装置に比べて、泡の生成と泡径の微細化とを効果的に行って、ムース状の泡塊を効率よく生成できる。
【００７８】
先に説明したように、泡立モードの前半ではモーター２８を低速回転させ、泡立モードの後半ではモーター２８を高速回転させる。このように、モーター２８を低速回転させると、ブラシ束６１の凹部７８に付着させた洗浄剤と、ブラシ軸部７６に含ませた水とをよくなじませて、洗浄剤と水をブラシ軸部７６およびブラシ先端部７７に均等に含ませて泡をむらなく生成することができる。また、モーター２８を高速回転させることにより、より多くの空気を取込むことができるので泡塊を効果的に生成できる。さらに、泡塊をブラシ束６１で繰返し撹拌して、生成された泡の泡径を小さくし、その肌理を細かくすることができる。
【００７９】
上記の実施例１では、泡立モードにおいてメインスイッチ２６をオン操作してブラシ体２０を低速および高速で回転駆動して泡立を行い、所定時間が経過したことをタイマーで検知して泡立てモードを終了し、再度メインスイッチ２６をオン操作して肌洗浄モードへ移行して起振構造を作動させるようにしたがその必要はない。例えば、メインスイッチ２６のオン操作でブラシ体２０を一定速度で回転駆動して泡立モードとしたのち、ユーザーが泡立ち具合を目視で確認し、十分な量の泡塊が生成されたと判断した時点で、撹拌体２をホルダー３から取外し、ブラシ体２０を回転駆動した状態のままで、ブラシ体２０のブラシ軸部７６の軸周面（ブラシ束６１の周側面）或いはブラシ束６１の先端面であるブラシ先端部７７を洗浄すべき顔肌などの肌面にあてがって、泡塊の塗付と肌洗浄を並行して行うことができる。その場合には、タイマーおよび起振構造を省略することができる。なお、十分な量の泡塊が生成されたと判断した時点で、ユーザーがメインスイッチ２６を操作してモーター２８を停止し、その状態で撹拌体２をホルダー３から取外して、泡塊を顔肌に塗付することができる。泡塊を塗付したのち、再度メインスイッチ２６を操作して、モーター２８または起振構造を起動させた状態で肌の洗浄を行うようにしてもよい。
【００８０】
（実施例２）図１８は、ブラシ構造を変更した実施例２に係るブラシ体２０を示す。ブラシ束６１における破断線から上方が断面図となっている。そこでは、実施例１のブラシ体と同様に、ブラシ束６１のブラシ軸部７６を逆円錐台状に形成するが、ブラシ先端の全体を部分球面状の凹曲面で形成して凹部７８とする点が異なる。この場合のブラシ先端部７７は、ブラシ軸部７６の上端の円弧縁となる。上記のように、凹部７８の容積を大きく設定すると、凹部７８の内部に保持される発泡剤や発泡要素の保持量を多様に変更できるので、発泡剤や発泡要素のメーカーの違いや、発泡特性の違いに対応することができる。また、泡立時にはブラシ先端部７７が弾性変形して、その内部に保持した発泡剤や発泡要素を包込んだ状態で、揺さぶりながら泡立リブ１７に衝突させるので、モーター２８が低速回転される泡立モードにおいて泡を速やかに生成できる。本実施例においても凹部７８に泡塊を保持することができる。肌の洗浄或いはマッサージを行うとき、ブラシ先端部７７が肌に線状に当接して肌の洗浄を行うことができる。本実施例においても、凹部７８の径寸法が、底壁７８ａから開口部７８ｃに向かって広くなるよう構成されている。他は実施例１と同じであるので、同じ部材に同じ符号を付して、その説明を省略する。以下の実施例においても同じとする。
【００８１】
（実施例３）図１９は、ブラシ構造を変更した実施例３に係るブラシ体２０を示す。ブラシ束６１における破断線から上方が断面図となっている。そこでは、実施例１のブラシ体と同様に、ブラシ束６１のブラシ軸部７６を逆円錐台状に形成するが、ブラシ先端部７７が外突湾曲状とはなっておらず平坦面で形成されている点が異なる。また凹部７８の形状も異なっており、凹部７８の底壁７８ａは円形の平坦面で形成されている。凹部７８の側壁７８ｂは、全周囲において内凹み状の湾曲面で構成されている。本実施例においても、凹部７８の径寸法が、底壁７８ａから開口部７８ｃに向かって広くなるよう構成されている。
【００８２】
（実施例４）図２０は、ブラシ構造を変更した実施例４に係るブラシ体２０を示す。ブラシ束６１における破断線から上方が断面図となっている。ブラシ束６１のブラシ軸部７６は円筒状に形成している。ブラシ先端部７７は外突湾曲状に形成している。凹部７８における、底壁７８ａおよび側壁７８ｂは、全周囲において内凹み状の湾曲面で構成されているが、側壁７８ｂの開口部７８ｃ寄りにおいて外突湾曲面状となっている。このブラシ束６１の形状は上記各要素の繋ぎ目が曲面により形成されているため肌当たりが優しいものとなる。本実施例においても、凹部７８の径寸法が、底壁７８ａから開口部７８ｃに向かって広くなるよう構成されている。
【００８３】
（実施例５）図２１及び図２２は、ブラシ構造を変更した実施例５に係るブラシ体２０を示す。そこでは、実施例１のブラシ体と同様に、ブラシ束６１のブラシ軸部７６を逆円錐台状に形成し、ブラシ先端部７７も外突湾曲状となっているが、凹部７８の形状が異なる。つまり、実施例１の凹部７８は、平面視が円形である内凹みのドーム状に形成されていたが、本実施例の凹部７８は、平面視がハート型である内凹みのドーム状に形成されている。このように凹部７８が図柄を表わすよう構成すると、装飾性に富んだ美容機器を提供することができる。凹部７８の図柄としては、平面視において星型、ダイヤ型、三つ葉型、四つ葉型などに変更できる。凹部７８の立体形状としては、ドーム型に限らず、下向きに尖った錐形状であってもよい。
【００８４】
上記実施例１から５のいずれのも、底壁７８ａが平坦面や湾曲面で形成されているが、下向きに尖った錐形状であってもよい。なお、凹部７８の内部には、まったくブラシ束６１がないものに限らず、毛束６１が棒状とはならず肌面にダメージを与えない範囲であれば、例えば凹部７８内に点で分散配置される形態で毛束６１が設けられるものであってもよい。これにより、凹部７８内に分散配置された毛束６１によっても洗浄を行うことができ、洗浄効果を向上できる。上記の各実施例に例示された形態のブラシ体２０は、ブラシ束６１が、ブラシ体２０の回転中心軸Ｐと同一方向に突出して形成された形態である。なお、凹部７８が図柄を表わすよう構成すると、装飾性に富んだ美容機器を提供することができるが、これに重点を置き構成するのであれば本発明のようにブラシ束６１の先端面の中央部に図柄を表わした凹部７８を設ける必要はなく、周囲にずらして設けてもよい。
【００８５】
（実施例６）図２３は、泡生成部４の容器構造を変更した泡立容器１を示す。そこでは、泡生成部４の泡還流壁８８および器底壁１５を滑らかに湾曲する凹曲面状に形成し、泡還流壁８８を含む器底壁１５の全体を、起泡部Ｆへ向かって下り傾斜させるようにした。泡還流壁８８の傾斜度合はブラシ体２０の回転中心軸Ｐの傾斜度合と概ね一致させた。こうした泡生成部４によれば、泡還流壁８８の側へ流動してきた泡塊や、器底壁１５に滞留しようとする泡塊を起泡部Ｆへ向かって確実に流動させて、繰り返しブラシ束６１で撹拌できるので、図１５で説明した泡立容器１に比べて、泡径が小さく肌理の細かなムース状の泡塊をさらに効率よく生成できる。
【００８６】
（実施例７）図２４は、泡生成部４の容器構造を変更した泡立容器１を示す。そこでは、泡生成部４の垂直方向の器中心軸Ｊと、ブラシ体２０の中心を通る垂直中心軸Ｋとを想定するとき、本体ケース２１をホルダー３に装着した状態において、起泡部Ｆと正対する側からみて、垂直中心軸Ｋが器中心軸Ｊの左側に偏寄するようにした。つまり、ホルダー３の長手方向中心軸を器中心軸Ｊよりも左側へずらすようにした。また、ブラシ体２０の回転駆動方向を、図１８に矢印Ｓで示すように、起泡部Ｆと正対する側から見て時計回転方向へ回転駆動して、泡生成部４の右半側に空気の導入を促す空気導入隙間８９が形成されるようにした。
【００８７】
より詳しくは、器中心軸Ｊを通る前後方向の垂直平面を境にして、ブラシ体２０の垂直中心軸Ｋが含まれる偏寄半部９６と、ブラシ体２０の垂直中心軸Ｋが含まれていない残存半部９７とを想定するとき、ブラシ体２０の回転駆動方向を、偏寄半部９６の側からブラシ体２０の周面の上頂部を経由して残存半部９７の側へ向かう向きに設定して、残存半部９７の側に空気の導入を促す空気導入隙間８９を形成するようにした。
【００８８】
上記のように、残存半部９７の側に空気の導入を促す空気導入隙間８９を形成すると、ブラシ束６１で生成された泡塊と空気とを空気導入隙間８９から同時に取込んで、ブラシ束６１と器底壁１５の間に巻込むことができる。また、垂直中心軸Ｋを偏寄させた分だけ、偏寄半部９６の側の器周囲壁１６とブラシ束６１の周面との隙間が小さくなるので、ブラシ束６１から跳ね飛ばされた泡塊を泡流下壁９０の低い位置で受止めて、器底壁１５側へ速やかに流下させることができる。従って、図１５で説明した泡立容器１に比べて、ブラシ束６１による泡塊の撹拌頻度を高めて、肌理の細かなムース状の泡塊をさらに効率よく生成できる。
【００８９】
（実施例８）図２５は、泡生成部４の容器構造を変更した泡立容器１を示す。そこでは、実施例４の泡立容器と同様に、ブラシ体２０の垂直中心軸Ｋが泡生成部４の垂直方向の器中心軸Ｊの左側に偏寄するように、ホルダー３の長手方向中心軸を器中心軸Ｊよりも左側へずらすようにした。また、ブラシ体２０の回転駆動方向を、図２５に矢印Ｓで示すように、起泡部Ｆと正対する側から見て時計回転方向へ回転駆動して、泡生成部４の右半側に空気の導入を促す空気導入隙間８９が形成されるようにした。そのうえで、泡生成部４の偏寄半部９６の内隅に起泡部Ｆを配置し、偏寄半部９６における器周囲壁１６に、泡のせり上がりを規制する急傾斜の泡受壁９１を形成した。さらに、残存半部９７における器周囲壁１６から器底壁１５にわたって、起泡部Ｆへ向かって下り傾斜する泡戻し壁９２を形成した。
【００９０】
上記のように、偏寄半部９６の内隅に起泡部Ｆを配置すると、ブラシ束６１と器底壁１５および器周囲壁１６との周方向の接触長さを大きくできるので、泡塊の生成と泡塊の撹拌とをさらに効果的に行うことができる。また、残存半部９７の側に空気の導入を促す空気導入隙間８９が形成されるので、ブラシ束６１で生成された泡塊と空気とを空気導入隙間８９から同時に取込んで、ブラシ束６１と器底壁１５の間に巻込むことができる。さらに、偏寄半部９６の側に泡のせり上がりを規制する急傾斜の泡受壁９１を設け、残存半部９７の側の器周囲壁１６から器底壁１５にわたって、起泡部Ｆへ向かって下り傾斜する泡戻し壁９２を設けるので、ブラシ束６１から跳ね飛ばされた泡塊や、ブラシ束６１で生成された泡塊を、速やかに起泡部Ｆへ流下させて繰返しブラシ束６１で撹拌できる。従って、図１５で説明した泡立容器１に比べて、ブラシ束６１による泡塊の撹拌頻度を高めて、肌理の細かなムース状の泡塊をさらに効率よく生成できる。ブラシ束６１から跳ね飛ばされた泡塊が、泡受壁９１に沿ってせりあがって泡生成部４の外へはみ出ることもない。
【００９１】
（実施例９）図２６は実施例９に係る泡立容器１を示す。そこでは、スタンド５の一部の構造を変更して、ホルダー３のブラシ支持具１０に吊下げ支持したブラシ体２０の下方に、ブラシ体２０から落下する水滴を受止めるブラシ水受１０１を設けるようにした。詳しくは、スタンド５の後部位置を、ホルダー３のブラシ支持具１０の真下より後方にまで延長して、ブラシ体２０と上下に正対するスタンド壁にブラシ水受１０１を凹み形成した。このように、ブラシ体２０の下方にブラシ水受１０１を設けると、ブラシ束６１から滴り落ちた水滴が、スタンド５の周囲に飛散するのを防止できる。また、ブラシ水受１０１をスタンド５と一体に形成するので、ブラシ水受１０１を設けることに伴うコスト増を回避できる。
【００９２】
（実施例１０）図２７は実施例７に係る泡立容器１を示す。そこでは、スタンド５の一部の構造を変更して、化粧カバー８０をブラシ水受１０１として利用できるようにした。そのために、ホルダー３のブラシ支持具１０と上下に対向するスタンド５にカバー収納部１８を設け、化粧カバー８０を、その開口面が上向きになる状態でカバー収納部１８に収容することにより、化粧カバー８０がブラシ水受１０１を兼ねるようにした。また、排液口１４と対向するスタンド５の壁面に、新たに水受９４を凹み形成して、排液口１４から滴り落ちる水を水受９４で受止められるようにした。
【００９３】
（実施例１１）図２８は実施例１１に係る泡立容器１を示す。そこでは、排液口１４を省略して、撹拌体２から流れ落ちてホルダー３内に流下した水（液体）を、連通溝１２を利用して泡生成部４の内部空間へ流下できるようにした。そのために、実施例１で説明した連通溝１２より溝深さを大きくして、連通溝１２がホルダー３の内部空間の下端底面から、泡生成部４の内部空間へ向かって下り傾斜するようにした。この排水構造によれば、排液口１４がないので、ホルダー３内の水が滴り落ちることはなく、泡生成部４に戻して自然乾燥させることができる。また、水洗い直後の本体ケース２１がホルダー３の装着された場合にも、本体ケース２１から流落ちたすべての水を、容積の大きな泡生成部４で確実に受止めることができる。
【００９４】
（実施例１２）図２９はホルダー３の構造を変更した泡立容器１を示す。そこでは、ホルダー３を泡立容器１とは別の独立した部材で構成して、ホルダー３に装着した撹拌体２のブラシ体２０を、泡立時に限って泡生成部４の内部に差込めるようにした。ホルダー３は、実施例１で説明したホルダー３と同じ構造のホルダー本体１０３と、ホルダー本体１０３を支持するホルダースタンド１０４とを一体に備えており、ホルダースタンド１０４の下部のスタンド台１０５にカバー収納部１８が形成されている。泡生成部４のスタンド５は、平面から見るときの泡生成部４の外郭線の範囲内に収まっている。泡立容器１の開口縁の後部には、ブラシ体２０を出し入れするための装着口１０６が斜めに形成されている。
【００９５】
泡立を行う場合には、図示していない専用の載置台に、ホルダー３と泡立容器１とを互いに隣接する状態で載置し、両者１・３を位置決め固定する。この状態で撹拌体２をホルダー本体１０３に装着し、モーター２８を起動することにより、ブラシ束６１の先端を起泡部Ｆに臨む器底壁１５と器周囲壁１６とに接触させて適度に弾性変形させた状態で泡立を行うことができる。
【００９６】
（実施例１３）図３０はホルダー３の構造を変更した泡立容器１を示す。そこでは、泡立容器１の後部に、本体ケース２１の肩部３４を受止める規制部１３を斜め横向きに張出し形成し、その後端から上向きの支持壁１０９を連出し、支持壁１０９の上端に本体ケース２１の左右側面を抱持する弾性変形可能な抱持腕１１０を設けている。つまり、規制部１３と支持壁１０９と抱持腕１１０とでホルダー３を構成し、これらの各部材を泡立容器１と一体に形成した。撹拌体２は、ホルダー３で倒立姿勢に保持される本体ケース２１と、本体ケース２１の中心軸Ｑに対して斜めに傾斜する状態で支持されるブラシ体２０とを備えている。本体ケース２１をホルダー３に装着した状態では、ブラシ体２０の回転中心軸Ｐが起泡部Ｆへ向かって下り傾斜状に傾斜する。この実施例においては、本体ケース２１を起立させた状態において、ブラシ体２０が斜め上向きに突出するので、終段ギヤ３８と駆動軸３９に一対の傘歯車１１１・１１２を設けて、回転中心軸Ｐを傾斜させている。本体ケース２１の中心軸Ｑに対して斜めに傾斜する状態でブラシ体２０が設けられていると、ブラシ束６１の先端面による肌の洗浄或いはマッサージを行いやすい。
【００９７】
（実施例１４）図３１は本体ケース２１の構造を変更した撹拌体２を示す。そこでは、エンドカバー２４に三角形状のブラシ保持部１１３を設け、ブラシ保持部１１３の平坦周面にブラシ体２０を着脱するようにした。泡立容器１は、実施例１で説明した泡立容器１とほぼ同じであるが、起泡部Ｆのほとんどの部分が器底壁１５で占められる点が異なっている。本体ケース２１を起立させた状態においては、先のブラシ保持部１１３の平坦周面が後上がり傾斜状に傾斜しており、ブラシ体２０をブラシ保持部１１３の駆動軸３９に連結した状態では、ブラシ体２０の回転中心軸Ｐが平坦周面と直交する向きを指向する。そのため、本体ケース２１をホルダー３に装着した状態では、ブラシ体２０の回転中心軸Ｐが垂直になって、ブラシ束６１の先端が器底壁１５に接触して弾性変形する。そのために、終段ギヤ３８のギヤ軸１１４と駆動軸３９に一対の傘歯車１１１・１１２を設けて回転中心軸Ｐを傾斜させている。この実施例から理解できるように、起泡部Ｆは主に器底壁１５の側に設けてあってもよく、その場合には器底壁１５にリブ状あるいは独立した突起からなる泡立突起１４５の一群を設けることができる。泡立突起１４５に代えて、泡立凹部の一群が設けてあってもよい。本実施例においても、本体ケース２１の中心軸Ｑに対して斜めに傾斜する状態でブラシ体２０が設けられているので、ブラシ束６１の先端面による肌の洗浄或いはマッサージを行いやすい。
【００９８】
（実施例１５）図３２はホルダー３の構造を変更した泡立容器１を示す。そこでは、泡立容器１の後部に、ボス１１６を一体に形成し、ボス１１６に形成した垂直の装着穴１１７にホルダー３を着脱自在に装着できるようにした。撹拌体２は実施例１で説明した撹拌体２と同じ構造であるが、本体ケース２１をホルダー３に装着した状態において、撹拌体２の全体が倒立姿勢で支持される点が異なっている。ホルダー３は、先の装着穴１１７に差込み係合される非円形断面の支軸１１８と、支軸１１８の上下中途部から前向きに突設されて本体ケース２１の肩部３４を受止める規制腕（規制部）１３と、支軸１１８の上端から前向きに連出されて、本体ケース２１の左右側面を抱持する弾性変形可能な抱持腕１１０を一体に備えている。泡立容器１は、泡生成部４と円盤状のスタンド５を備えており、器周囲壁１６の内面の全体にわたって泡立リブ１７が形成してある。支軸１１８を装着穴１１７に上方から差込み係合した状態では、支軸１１８の下端がスタンド５で受止められて、ホルダー３が泡立容器１で起立支持されている。器底壁１５には、リブ状あるいは独立した突起からなる泡立突起１４５の一群を設けることができる。
【００９９】
（実施例１６）図３３は撹拌構造を変更した撹拌体２を示す。そこでは、継手体６４を一体に備えたブラシ台１２０を設け、継手体６４を駆動軸３９に連結することにより、ブラシ台１２０を回転中心軸Ｐの周りに回転駆動できるようにした。また、回転中心軸Ｐから偏寄するブラシ台１２０の両端寄りに２個のブラシ支軸１２１を設け、これらのブラシ支軸１２１にブラシ体２０を固定した。泡立容器１とホルダー３は、実施例１５で説明した泡立容器１およびホルダー３と同じ構造にした。器底壁１５には、リブ状あるいは独立した突起からなる泡立突起１４５の一群を設けることができる。
【０１００】
撹拌体２をホルダー３に装着した状態では、撹拌体２の全体が倒立姿勢に保持されて、ブラシ体２０のブラシ束６１の先端が泡立容器１の器底壁１５と接触して弾性変形している。この状態でモーター２８を起動すると、ブラシ台１２０が回転中心軸Ｐの周りに回転駆動されて、２個のブラシ体２０が主として器底壁１５に接触した状態で、ブラシ束６１の先端が泡立リブ１７を乗越えながら、複数の起泡部Ｆで同時に泡立を行うことができる。この実施例においては、２個のブラシ体２０の間の空間が空気導入隙間８９および凹部７８として機能する。
【０１０１】
上記のように、２個のブラシ体２０をブラシ台１２０の回転中心軸Ｐに対して偏寄配置すると、泡塊を２個のブラシ体２０で同時に撹拌して、泡塊とブラシ体２０との接触機会を倍加できるので、泡の生成と泡の微細化に要する時間を短縮して、ムース状の泡塊をさらに効率よく生成できる。また、生成された泡塊が２個のブラシ体２０の間に溜まるので、泡塊が泡生成部４の１か所に偏った状態で溜まるので防止できる。
【０１０２】
以上のように構成した泡立て器は、実施例１で説明した用法に従って、２個のブラシ体２０のブラシ軸部７６の軸周面を洗浄すべき顔肌に同時にあてがって、第１振動モーター５１と第２振動モーター５２を作動させた状態で、洗顔を行うことができる。また、洗顔を行う際に、モーター２８の回転動力でブラシ台１２０をゆっくりと回転駆動させるようにすると、２個のブラシ体２０の回転作用と、肌面を各ブラシ体２０でたたく作用とによって洗顔を行うことができる。本実施例においても、ブラシ体２０を、本体ケース２１に支持されるブラシベース６０と、ブラシベース６０に支持されるブラシ束６１とで構成し、ブラシ束６１の先端面の回転中心を含む中央部に凹部７８を形成している。本実施例においては凹部７８に泡塊を保持することはできないが、ブラシ束６１の先端面の中央部に凹部７８が設けられているため、ブラシ体２０を回転駆動してブラシ束６１の先端面による肌の洗浄或いはマッサージを行うとき、ブラシ束６１の回転中心軸Ｐを含む中央部に位置する毛束が棒状となるのを防止することができ、肌へのダメージを抑制することができる。
【０１０３】
ちなみに、ブラシ体２０の直径に対して、泡生成部４の内直径が十分に大きく、１個のブラシ体２０の回転中心軸が器中心軸Ｊ上に位置している場合には、ブラシ束６１で生成されて跳飛ばされた泡塊が泡生成部４の内隅に溜まるので、泡塊をブラシ束６１で繰返し撹拌することができなくなり、泡を微細化するのに多くの時間が掛かってしまう。逆に、泡生成部４の内直径が、ブラシ体２０の直径よりわずかに大きい場合には、器周囲壁１６とブラシ体２０との間の隙間が小さくなるため、ブラシ束６１で生成された泡塊が先の隙間に充満して、空気を泡塊に取込むのが困難となるため、泡の生成と泡の微細化を効果的に行うのが困難となる。
【０１０４】
（実施例１７）  図３４はブラシ回転駆動構造を変更した撹拌体２を示す。そこでは、ブラシ回転駆動構造を構成するモーター２８を省略し、その代わりに泡立容器１に手動駆動構造を設けて、本体ケース２１をホルダー３に装着する際に、本体ケース２１内のギヤ構造を手動駆動構造に連結できるようにした。手動駆動構造は、手回しハンドル１２４と、同ハンドル１２４で一対の傘歯車１２５・１２６を介して回転駆動される出力軸１２７とを備えており、出力軸１２７の上端に断面四角形の連結軸１２８が設けられている。出力軸１２７は、その連結軸１２８がホルダー底壁８に設けた軸通口１２９からホルダー３内に突出する状態で回転自在に支持されている。本体ケース２１側のギヤ構造は、先の連結軸１２８に着脱可能に連結される継手軸１３０と、継手軸１３０と増速ギヤ軸１３１との間に設けた一対の傘歯車１３２・１３３と、増速ギヤ軸１３１と駆動軸３９との間に設けた大径ギヤ１３４および小径ギヤ１３５とで構成する。撹拌体２の上ケース２２には、連結軸１２８の出入りを許す駆動穴１３６が開口されている。
【０１０５】
泡立を行う場合には、本体ケース２１をホルダー３に装着して、継手軸１３０を連結軸１２８に連結する。この状態で泡立容器１と撹拌体２を片手で抑え保持し、手回しハンドル１２４を回転操作してブラシ体２０を回転駆動し、泡生成部４内で泡塊を生成する。この実施例における泡立器は、専ら泡立を行うために使用する。しかし、本体ケース２１の内部に第１、第２の振動モーター５１・５２のうち、少なくとも第１振動モーター５１を設ける場合には、泡立を行った後、撹拌体２を肌洗浄モードにして顔肌の洗浄を行うことができる。さらに、例えば小径ギヤ１３５の下方にフライホイールを一体で設けることができる。これにより手回しハンドル１２４を勢いよく回転させれば、ギヤ構造を介してブラシ体２０を回転させて肌面の洗浄或いはマッサージを行うことができる。このときフライホールの慣性力により長時間ブラシ体２０を回転駆動させることができるので、電力を利用せずともブラシ体２０による洗浄或いはマッサージを行うことができる。本実施例におけるブラシ回転駆動構造は、手回しハンドル１２４とギヤ構造とフライホイールとなる。このようにブラシ回転駆動構造は、必ずしもモーター２８を含むものに限定されない。
【０１０６】
（実施例１８）  図３５はブラシ回転駆動構造を変更した撹拌体２を示す。そこでは、ブラシ回転駆動構造を構成するモーター２８としてタービンを使用し、入口通路１３９に加圧水を供給してタービンを回転駆動できるようにしている。符号１４０は出口通路である。タービンの出力軸には原動ギヤ３５が固定してある。入口通路１３９に供給される加圧水としては、家庭用の水道水を利用することができる。加圧水を供給してタービンを回転駆動してブラシ体２０を回転させれば肌面の洗浄或いはマッサージを行うことができる。本実施例におけるブラシ回転駆動構造は、入口通路１３９と出口通路１４０と両通路間にある流路とこの流路に配置されるタービンとギヤ構造となる。このようにブラシ回転駆動構造は、必ずしもモーター２８を含むものに限定されない。
【０１０７】
（実施例１９）  図３６は実施例１９に係る泡立器の縦断側面図である。そこでは、メインスイッチ２６と、電池２９と、制御基板などの電装品をスタンド５の内部に組付け、本体ケース２１とスタンド５との間にモーター２８用の給電リード１４２を設けるようにした。この実施例における給電リード１４２の長さは、肌洗浄を行う際に撹拌体２を自由に操作するのに充分な長さに設定してある。なお、スタンド５の内部に整流回路を配置しておいて、商用電源から供給される交流電流を直流に変換して、モーター２８や起振構造を駆動するように構成してあってもよい。
【０１０８】
ブラシ束６１は断面円形に形成する必要はなく、断面長円状、断面楕円状、断面多角形状などであってもよい。ブラシ支持体における継手体６４と装着構造９３とは個別に設けてあってもよい。ブラシ支持具１０は、泡立容器１の周囲や、ホルダー３の下周面の任意位置に設けることができる。また、必要があればスタンド５にブラシ支持具１０を一体に形成することができ、例えば、ホルダー３とスタンド５との間に収納区画を設けて、そこにブラシ体２０を収納保存することができる。さらに、ブラシ体２０は、そのブラシ束６１が下向きになる状態で保管する必要なく、斜め、あるいは横向きにした状態で保管することができる。上記各実施例において、凹部７８を図示していないものがあるが、当然これらについてもブラシ束６１の先端面の中央部に凹部７８が形成されていると理解すべきである。
【０１０９】
以上のように構成した泡立器は、洗顔用の洗浄剤を泡立てる以外に、シェービング用の洗浄剤を泡立てる際や、毛染め剤を泡立てる際にも使用することができる。また、ミルクや卵白などの液状食材を泡立てる用途にも使用することができる。
【符号の説明】
【０１１０】
１  泡立容器
２  撹拌体
３  ホルダー
４  泡生成部
５  スタンド
８  ホルダー底壁
９  ホルダー側壁
１０  ブラシ支持具
１１  区分壁
１２  連通溝
１３  規制部
１４  排液口
１５  器底壁
１６  器周囲壁
１７  泡立リブ
１８  カバー収納部
２０  ブラシ体
２１  本体ケース
２６  スイッチ
２８  モーター
３４  肩部
３９  駆動軸
６０  ブラシベース
６１  ブラシ束
６４  継手体
７６  ブラシ軸部
７７  ブラシ先端部
７８  凹部
８０  化粧カバー
８３  指掛片
８８  泡還流壁
８９  空気導入隙間
９０  泡流下壁
９１  泡受壁
９２  泡戻し壁
９３  装着構造
９４  水受
９６  偏寄半部
９７  残存半部
１０１  ブラシ水受
１２０  ブラシ台
【図１】
0006403253.tif 000002
【図２】
0006403253.tif 000003
【図３】
0006403253.tif 000004
【図４】
0006403253.tif 000005
【図５】
0006403253.tif 000006
【図６】
0006403253.tif 000007
【図７】
0006403253.tif 000008
【図８】
0006403253.tif 000009
【図９】
0006403253.tif 000010
【図１０】
0006403253.tif 000011
【図１１】
0006403253.tif 000012
【図１２】
0006403253.tif 000013
【図１３】
0006403253.tif 000014
【図１４】
0006403253.tif 000015
【図１５】
0006403253.tif 000016
【図１６】
0006403253.tif 000017
【図１７】
0006403253.tif 000018
【図１８】
0006403253.tif 000019
【図１９】
0006403253.tif 000020
【図２０】
0006403253.tif 000021
【図２１】
0006403253.tif 000022
【図２２】
0006403253.tif 000023
【図２３】
0006403253.tif 000024
【図２４】
0006403253.tif 000025
【図２５】
0006403253.tif 000026
【図２６】
0006403253.tif 000027
【図２７】
0006403253.tif 000028
【図２８】
0006403253.tif 000029
【図２９】
0006403253.tif 000030
【図３０】
0006403253.tif 000031
【図３１】
0006403253.tif 000032
【図３２】
0006403253.tif 000033
【図３３】
0006403253.tif 000034
【図３４】
0006403253.tif 000035
【図３５】
0006403253.tif 000036
【図３６】
0006403253.tif 000037